(57)【要約】【課題】タワー型パーソナルコンピュータをより効果的に冷却することができるような、タワー型パーソナルコンピュータのための組み立て構造を提供する。【解決手段】タワー型パーソナルコンピュータのための組み立て構造であって、コンピュータケーシング１内に、マザーボード６と、プロセッサ１５と、ファンを備えた電力供給部１０とが設けられている形式のものにおいて、コンピュータケーシング１が、側方で電力供給部１０の領域に通風格子１３を有している。【選択図】　　　図１
2004005689.tif 000002
【特許請求の範囲】
【請求項１】
タワー型パーソナルコンピュータのための組み立て構造であって、コンピュータケーシング（１）内にマザーボード（６）と、プロセッサ（１５）と、ファンを備えた電力供給部（１０）とが設けられている形式のものにおいて、コンピュータケーシング（１）が、側方で電力供給部（１０）の領域に通風格子（１３）を有していることを特徴とする、タワー型パーソナルコンピュータのための組み立て構造。
【請求項２】
通風格子（１３）が、電力供給部（１０）の全広幅側にわたって形成されている、請求項１記載の、タワー型パーソナルコンピュータのための組み立て構造。
【請求項３】
コンピュータケーシング（１）が、背面において電力供給部（１０）の下方に通風格子（１６）を有している、請求項１または２記載の、タワー型パーソナルコンピュータのための組み立て構造。
【請求項４】
タワー型パーソナルコンピュータのための組み立て構造において、電力供給部（１０）に空気誘導フード（１４）が接続されていて、該空気誘導フード（１４）を介してプロセッサ（１５）がパッシブに冷却可能であることを特徴とする、タワー型パーソナルコンピュータのための組み立て構造。
【請求項５】
コンピュータケーシング（１）の内室がエアシールド（１７）によって分割されていて、これにより、例えば３．５インチドライブ（５）の形のハードディスクまたはボード（８）等の、熱を発生させるコンポーネントが、電力供給部（１０）と空気誘導フード（１４）とプロセッサ（１５）とから、冷却空気技術的に分離されている、請求項１から４までのいずれか１項記載の、タワー型パーソナルコンピュータのための組み立て構造。
【請求項６】
エアシールド（１７）の下方で、コンピュータケーシング（１）が正面および背面に通風格子（１８，１９）を有していて、これらの両通風格子（１８，１９）の間でコンピュータケーシング（１）内にファン（２０）が配置されており、該ファン（２０）が、３．５インチ・コンポーネント（５）およびボード（８）を冷却するための冷却空気流を生ぜしめるようになっている、請求項５記載の、タワー型パーソナルコンピュータのための組み立て構造。
【発明の詳細な説明】
【０００１】
【発明の属する技術分野】
本発明は、タワー型パーソナルコンピュータのための組み立て構造であって、コンピュータケーシング内にマザーボードと、マイクロプロセッサと、ファンを備えた電力供給部とが設けられている形式のものに関する。
【０００２】
【従来の技術】
大抵のタワー型パーソナルコンピュータは、従来、冷却空気がパーソナルコンピュータの正面で吸い込まれ、かつ電力供給部内のファンによって背面で吹き出されるように設計されてきた。
【０００３】
ハードディスクやプロセッサのような、ますます性能がよくなっているコンポーネントによって、パーソナルコンピュータ内部の熱発生も増大している。
【０００４】
したがって若干の事例では、冷却のための付加的なファンが背面に組み込まれるようになっている。
【０００５】
同じく、特別なファンもプロセッサにおいて使用されている。
【０００６】
付加的なファンは、一つには製作コストを上昇させ、パーソナルコンピュータによる騒音負荷を増大させている。また、ＭＴＢＴ（寿命）が短くなっている。
【０００７】
【発明が解決しようとする課題】
したがって本発明の課題は、タワー型パーソナルコンピュータをより効果的に冷却することができる択一的な解決手段を提供することである。
【０００８】
【課題を解決するための手段】
この課題を解決するために本発明の構成では、コンピュータケーシングが、側方で電力供給部の領域に通風格子を有しているようにした。
【０００９】
【発明の効果】
この通風格子は、パーソナルコンピュータの背面に形成するよりも大きく形成することができるので、はるかに大きい横断面を空気流出のために利用することができる。これにより、パーソナルコンピュータの内室のための全冷却装置が、はるかに有効に構成され得る。
【００１０】
最高度の冷却は、通風格子が電力供給部の全広幅側にわたって形成されることによって達成され得る。
【００１１】
背面には電力供給部の下方に、有利には、従来公知のモデルの場合のように、空気流出部が設けられている。この場合、空気流出部には、同じく効率を高めるために、空気を外へ押し出すファンが配置され得る。
【００１２】
【発明の実施の形態】
次に本発明の実施の形態を、図示の実施例を用いて詳しく説明する。
【００１３】
図１には、タワー型パーソナルコンピュータのコンピュータケーシング１の側面図が示してある。このコンピュータケーシング１内では、前方の領域に５．２５インチドライブ３のための組み込みケージ２が、その下方に３．５インチドライブ５のための組み込みケージ４が配置されている。３．５インチドライブ５のための組み込みケージ４は、上方の組み込みケージ２に対して横方向で配置されている。これにより３．５インチドライブ５は、側壁が取り外されると横方向で押し込まれ得る。３．５インチドライブ５として、通常、この位置にハードディスクが組み込まれる。
【００１４】
両組み込みケージ２，４の後方では、これらの後方に位置する側壁に、マザーボード６がほぼ垂直に配置されている。このマザーボード６はその下方の領域に、ボード８のためのスロット７の列を有している。
【００１５】
したがってボード８は水平に配置されていて、コンピュータケーシング１の背面においてスロット領域９に固定されている。コンピュータケーシング１の上半分には、上方の背面に電力供給部１０が位置している。この場合、電力供給部１０は、コンピュータケーシング１の取り外された側壁の厳密に後方に配置されている。電力供給部１０は通風格子１１を有しており、この通風格子１１は、取り外された側壁に向けられている。通風格子１１の後方には、ベンチレータもしくはファン（図示せず）が配置されている。
【００１６】
図２には、図１に示したコンピュータケーシングのために使用することができるような側壁１２が示してある。側壁１２の特徴は、この側壁１２が電力供給部１０の領域もしくは電力供給部１０の通風格子１１の領域に、同じく通風格子１３もしくは可能な空気吸い込み手段を有していて、この通風格子１３もしくは可能な空気吸い込み手段が、有利には電力供給部１０の全広幅側にわたって形成されていることである。
【００１７】
通風格子１３；１１によってはるかに大きい面積が電力供給部１０の空気流出のために利用されるという効果により、はるかに大きい体積流が、電力供給部１０を介してかもしくは電力供給部１０のファンを介して、パーソナルコンピュータの内室から吹き出され得る。このことによって冷却効率が高まる。
【００１８】
電力供給部１０における通風格子１１もしくは取外し可能な側壁１２における通風格子１３の大きい構成は、２つのファンを電力供給部１０内に並べて配置することもできるという別の利点を伴う。
【００１９】
図１に示した実施例では、電力供給部１０に空気誘導フード１４が接続されている。この空気誘導フード１４は、マザーボード６におけるプロセッサ１５（破線でしか図示せず）にわたって延在している。
【００２０】
したがって、図示した実施例では、現今のプロセッサからの熱発生に際してプロセッサの上方にファンを配置しなくてよい。なぜならば、電力供給部を介してパッシブに、すなわち、プロセッサを積極的に冷却することなしに、プロセッサに対する十分な冷却作用が得られるからである。
【００２１】
冷却空気の流出のためには、慣例どおり、電力供給部１０の下方に別の通風格子１６が配置されている。
【００２２】
通常は組み込みケージ４内に３．５インチ・コンポーネントとして組み込まれるハードディスクの熱発生をプロセッサから分離するために、コンピュータはエアシールド１７を有している。このエアシールド１７は、組み込みケージ２，４の間に配置されていて、コンピュータの全幅および全長にわたって延在していて、ひいては電力供給部１０とマザーボード６の、プロセッサ１５が位置している部分とを備えた空間を、３．５インチドライブ５およびボード８から分離している。
【００２３】
３．５インチドライブ５およびボード８のために十分な冷却を保証するために、コンピュータケーシング１の正面には通風格子１８が形成されていて、コンピュータケーシング１の背面には、スロット領域９の隣に通風格子１９が形成されている。
【００２４】
エアシールド１７の下方では、３．５インチ・コンポーネントのための組み込みケージ４とボード８との間に、または択一的に組み込みケージ４とコンピュータケーシング１の正面との間にも、ファン２０が配置されている。このファン２０は、エアシールド１７の下方の領域のための空気流を発生させる。
【００２５】
図３には、図１に示したコンピュータケーシング１の背面を示してある。この場合、電力供給部１０は破線でしか示していない。
【００２６】
電力供給部１０の下方には、すでに図１に示したように、上方の領域における空気流出のための通風格子１６が図示してあり、スロット領域９の隣には、エアシールド１７の下方の領域を対象とする空気流入もしくは空気流出のための別の通風格子１９が図示してある。
【００２７】
スロット領域９の上方には、外部機器の接続部のためのコネクタ領域２１が配置されている。
【図面の簡単な説明】
【図１】側方から開放されているコンピュータケーシングの側面図である。
【図２】閉鎖されているコンピュータケーシングの側面図である。
【図３】図１に示したコンピュータケーシングの背面図である。
【符号の説明】
１　コンピュータケーシング、　２　組み込みケージ、　３　５．２５インチドライブ、　４　組み込みケージ、　５　３．５インチドライブ、　６　マザーボード、　７　スロット、　８　ボード、　９　スロット領域、　１０　電力供給部、　１１　通風格子、　１２　側壁、　１３　通風格子、　１４　空気誘導フード、　１５　プロセッサ、　１６　通風格子、　１７　エアシールド、　１８　通風格子、　１９　通風格子、　２０　ファン、　２１　コネクタ領域
【図１】
2004005689.tif 000003
【図２】
2004005689.tif 000004
【図３】
2004005689.tif 000005